(57)【要約】  本発明は、コネクタ分野に係り、特に電気コネクタおよびその固定用湾曲部品に関する。電気コネクタは、先端が挿接端である接触部品と、少なくとも２つの左右並列に設けられて前後方向に沿って延びる接触部品取付板と、を含む。電気コネクタにおいて、接触部品取付板を固定するための固定用湾曲部品をさらに含む。固定用湾曲部品は、電気コネクタ上部に固定されている第１部分、電気コネクタ末端部に固定されている第２部分、および、第１、第２部分を接続する接続部分を含み、第１部分、第２部分が接続部分の同一側に向けて延びる。接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる。現在の電気コネクタの接触部品絶縁取付板が変形しやすいという問題を解決する。【選択図】図１
2019505079.tif 000002
【特許請求の範囲】
【請求項１】
先端が挿接端である接触部品と、少なくとも２つの左右並列に設けられて前後方向に沿って延びる接触部品取付板と、を含む電気コネクタにおいて、
接触部品取付板を固定するための固定用湾曲部品をさらに含み、
固定用湾曲部品は、電気コネクタ上部に固定されている第１部分、電気コネクタ末端部に固定されている第２部分、および、第１、第２部分を接続する接続部分を含み、
第１部分、第２部分は、接続部分の同一側に向けて延び、
接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる、
ことを特徴とする電気コネクタ。
【請求項２】
接続部分は、電気コネクタ上部に設けられ、
前記電気コネクタ上部には、第１部分が挿入されて電気コネクタ上部に固定されるための上部内方凹部挿入溝が設けられている、
ことを特徴とする請求項１に記載の電気コネクタ。
【請求項３】
前記第１部分は、上部内方凹部挿入溝の前方側面または後方側面に突き立てられている、
ことを特徴とする請求項２に記載の電気コネクタ。
【請求項４】
前記第１部分が上部内方凹部挿入溝の後方側面に突き立てられ、かつ第２部分が電気コネクタ末端部の端面に突き立てられることによって、固定用湾曲部品は、接触部品取付板に挟設される、
ことを特徴とする請求項３に記載の電気コネクタ。
【請求項５】
前記各接触部品取付板には、上部内方凹部挿入溝内に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成され、
各接触部品取付板には、電気コネクタ末端部に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成される、
ことを特徴とする請求項２〜４のいずれか１項に記載の電気コネクタ。
【請求項６】
前記隣接する上部係止ブロックの間は、第１部分挿入フィンガーを係合させる上部係止溝が形成され、および／または、隣接する末端部係止ブロックの間は、第２部分挿入フィンガーを係合させる末端部係止溝が形成される、
ことを特徴とする請求項５に記載の電気コネクタ。
【請求項７】
前記第１、第２挿入フィンガーには、係止ブロックを係合させるための突起が設けられている、
ことを特徴とする請求項６に記載の電気コネクタ。
【請求項８】
接続部分は、電気コネクタ末端部に設けられ、
前記電気コネクタ末端部には、第２部分が挿入されて電気コネクタ末端部に固定されるための末端部内方凹部挿入溝が設けられている、
ことを特徴とする請求項１に記載の電気コネクタ。
【請求項９】
前記第２部分は、末端部内方凹部挿入溝の上側面または下側面に突き立てられている、
ことを特徴とする請求項８に記載の電気コネクタ。
【請求項１０】
前記第２部分が末端部内方凹部挿入溝の上側面に突き立てられ、かつ第１部分が電気コネクタ上部の端面に突き立てられることによって、固定用湾曲部品は、接触部品取付板に挟設される、
ことを特徴とする請求項９に記載の電気コネクタ。
【請求項１１】
前記各接触部品取付板には、末端部内方凹部挿入溝内に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成され、
各接触部品取付板には、電気コネクタ上部に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成される、
ことを特徴とする請求項８〜１０のいずれか１項に記載の電気コネクタ。
【請求項１２】
前記接触部品は、挿接部と、挿接部より後部の水平の取付部と、を含み、
挿接部の先端は、上へ折り曲げられて形成されたフランジにあり、
フランジの折り曲げ箇所の下側面は、整合する接触部品に接触するための前方接触部を形成し、
挿接部と取付部との間には、挿接部の後方端部に対し下方へ凹む１つの凹部を有し、
凹部は、接触部品の後方接触部を形成し、
前記接触部は、残りの凹部の接続箇所から後方から前方へ徐々に下方へ傾斜する、
ことを特徴とする請求項１〜４のいずれか１項に記載の電気コネクタ。
【請求項１３】
電気コネクタ上部に固定されるための第１部分、電気コネクタ末端部に固定されるための第２部分、および、第１、第２部分を接続する接続部分を含み、第１部分、第２部分は、接続部分の同一側に向けて延びる、
ことを特徴とする固定用湾曲部品。
【請求項１４】
前記第１部分には、上部係止ブロックに対応するための第１部分挿入フィンガーが設けられ、
隣接する第１部分挿入フィンガーの間は、上部係止ブロックを係止させるための第１部分係止溝が形成され、
前記第２部分には、末端部係止ブロックに対応するための第２部分挿入フィンガーが設けられ、
隣接する第２部分挿入フィンガーの間は、末端部係止ブロックを係止させるための第２部分係止溝が形成され、
または、
前記第１部分には、末端部係止ブロックに対応するための第１部分挿入フィンガーが設けられ、
隣接する第１部分挿入フィンガーの間は、末端部係止ブロックを係止させるための第１部分係止溝が形成され、
前記第２部分には、上部係止ブロックに対応するための第２部分挿入フィンガーが設けられ、
隣接する第２部分挿入フィンガーの間は、上部係止ブロックを係止させるための第２部分係止溝が形成される、
ことを特徴とする請求項１３に記載の固定用湾曲部品。
【発明の詳細な説明】
【技術分野】
【０００１】
本発明は、コネクタ分野に係り、特に電気コネクタおよびその固定用湾曲部品に関する。
【背景技術】
【０００２】
従来の差動電気コネクタは、左右並列に設けられた少なくとも２つの信号モジュールを含む。信号モジュールは、接触部品取付板と、接触部品取付板に設けられた湾曲型接触部品を含む。湾曲型接触部品において、一端は、挿接端であり、他端は、プリント回路板に溶接されるための溶接ピンである。差動コネクタにおいて、前方端面は、湾曲型接触部品の挿接端を設置するための接触部品挿接端取付面であり、下側面は、湾曲型接触部品の溶接ピンを取り付けるための溶接ピン取付面である。接触部品挿接端取付面と溶接ピン取付面とは、隣接して設けられる。差動コネクタの後方側面には、隣接する信号モジュールを固定するためのストレート型固定板が設けられている。信号モジュールは、湾曲型接触部品を取り付けるための接触部品絶縁取付板をさらに含む。隣接する信号モジュールの接触部品絶縁取付板は、固定板によって固定される。例えば特許文献１（中国特許出願第２０１３１０３８３８５９．０号）に一種の電気コネクタが開示されている。電気コネクタは、先端が挿接端であり、８個で並列に設置された挿入孔モジュールを含む。挿入孔モジュールの後方端部は、設置されているストレート型固定板によって固定される。挿入孔モジュールは、接地板、絶縁体である接触部品取付板、絶縁蓋板および接触部品を含む。接触部品は、接触部品取付板に設けられている。接地板は、絶縁蓋板と接触部品取付板との間に挟持される。湾曲型接触部品において、一端は、挿接端であり、他端は、プリント回路板に溶接されるための溶接ピンである。電気コネクタにおいて、前部は、挿接端であり、下側面は、湾曲型接触ピンを設置するための溶接ピン取付面である。差動コネクタの末端部には、隣接する接触部品取付板を固定するためのストレート型固定板が設けられている。接触部品取付板は、組み立ての際に、ストレート型固定板の係止溝によって各接触部品取付板上の係止ブロックを係止し、左右に配列する接触部品絶縁取付板の固定を実現する。しかし、このようなストレート型固定板による接触部品取付板の単一面固定方式は、堅牢に固定できず、接触部品絶縁取付板が変形しやすく、各接触部品絶縁取付板の相対位置が保証されにくい。
【先行技術文献】
【特許文献】
【０００３】
【特許文献１】中国特許出願公開第１０４１６７６２０号明細書
【発明の概要】
【発明が解決しようとする課題】
【０００４】
本発明の目的は、現在の電気コネクタの接触部品絶縁取付板が変形しやすいという問題を解決するための電気コネクタを提供することである。また、本発明の目的は、さらに、上記電気コネクタに用いられる固定用湾曲部品を提供することである。
【課題を解決するための手段】
【０００５】
上記目的を実現するために、本発明の電気コネクタは、先端が挿接端である接触部品と、少なくとも２つの左右並列に設けられて前後方向に沿って延びる接触部品取付板と、を含む。電気コネクタにおいて、接触部品取付板を固定するための固定用湾曲部品をさらに含む。固定用湾曲部品は、電気コネクタ上部に固定されている第１部分、電気コネクタ末端部に固定されている第２部分、および、第１、第２部分を接続する接続部分を含み、第１部分、第２部分が接続部分の同一側に向けて延びる。接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる。
【０００６】
接続部分は、電気コネクタ上部に設けられる。前記電気コネクタ上部には、第１部分が挿入されて電気コネクタ上部に固定されるための上部内方凹部挿入溝が設けられている。
【０００７】
前記第１部分は、上部内方凹部挿入溝の前方側面または後方側面に突き立てられている。
【０００８】
前記第１部分が上部内方凹部挿入溝の後方側面に突き立てられ、かつ第２部分が電気コネクタ末端部の端面に突き立てられることによって、固定用湾曲部品は、接触部品取付板に挟設される。
【０００９】
前記各接触部品取付板には、上部内方凹部挿入溝内に位置する上部係止ブロックが設けられている。前記第１部分には、上部係止ブロックに対応する第１部分挿入フィンガーが設けられている。隣接する第１部分挿入フィンガーの間は、上部係止ブロックを係止させる第１部分係止溝が形成される。各接触部品取付板には、電気コネクタ末端部に位置する末端部係止ブロックが設けられている。前記第２部分には、末端部係止ブロックに対応する第２部分挿入フィンガーが設けられている。隣接する第２部分挿入フィンガーの間は、末端部係止ブロックを係止させる第２部分係止溝が形成される。
【００１０】
前記隣接する上部係止ブロックの間は、第１部分挿入フィンガーを係合させる上部係止溝が形成され、および／または、隣接する末端部係止ブロックの間は、第２部分挿入フィンガーを係合させる末端部係止溝が形成される。
【００１１】
前記第１、第２挿入フィンガーには、係止ブロックを係合させるための突起が設けられている。
【００１２】
前記接触部品は、挿接部と、挿接部より後部の水平の取付部と、を含む。挿接部の先端は、上へ折り曲げられて形成されたフランジにある。フランジの折り曲げ箇所の下側面は、整合する接触部品に接触するための前方接触部を形成する。挿接部と取付部との間には、挿接部の後方端部に対し下方へ凹む１つの凹部を有する。凹部は、接触部品の後方接触部を形成する。前記接触部は、残りの凹部の接続箇所から後方から前方へ徐々に下方へ傾斜する。
【００１３】
上記目的を実現するために、本発明の固定用湾曲部品は、電気コネクタ上部に固定されるための第１部分、電気コネクタ末端部に固定されるための第２部分、および、第１、第２部分を接続する接続部分を含み、第１部分、第２部分は、接続部分の同一側に向けて延びる。
【００１４】
前記第１部分には、上部係止ブロックに対応するための第１部分挿入フィンガーが設けられている。隣接する第１部分挿入フィンガーの間は、上部係止ブロックを係止させるための第１部分係止溝が形成される。前記第２部分には、末端部係止ブロックに対応するための第２部分挿入フィンガーが設けられている。隣接する第２部分挿入フィンガーの間は、末端部係止ブロックを係止させるための第２部分係止溝が形成される。または、前記第１部分には、末端部係止ブロックに対応するための第１部分挿入フィンガーが設けられている。隣接する第１部分挿入フィンガーの間は、末端部係止ブロックを係止させるための第１部分係止溝が形成される。前記第２部分には、上部係止ブロックに対応するための第２部分挿入フィンガーが設けられている。隣接する第２部分挿入フィンガーの間は、上部係止ブロックを係止させるための第２部分係止溝が形成される。
【発明の効果】
【００１５】
電気コネクタは、隣接する接触部品取付板を固定するための固定用湾曲部品を含み、第１部分、第２部分が接続部分の同一側に向けて延びる。接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる。固定用湾曲部品の第１部分、第２部分を電気コネクタ上部と電気コネクタ末端部とに固定することによって、電気コネクタの２つの面による固定が実現される。電気コネクタの上部と末端部の固定面とが協同しあうことによって、隣接する接触部品取付板が変形しにくいことを保証する。現在の電気コネクタにおいて単に電気コネクタの前方端面に固定板を設置することに比較すると、本発明の電気コネクタの固定用湾曲部品は、電気コネクタの上部と末端部とで固定し、そして第１部分を上部内方凹部挿入溝に固定しまたは第２部分を末端部内方凹部挿入溝に固定することによって固定の堅牢度合いを保証し、隣接する接触部品取付板を変形させにくく、現在の隣接する接触部品絶縁取付板が相対的に移動しやすいという問題を解決した。
【図面の簡単な説明】
【００１６】
【図１】図１は、本発明の電気コネクタの具体的な実施形態１の構造図である。
【図２】図２は、本発明の電気コネクタの具体的な実施形態１の正面図である。
【図３】図３は、図２におけるＭ−Ｍ線の断面図である。
【図４】図４は、本発明の電気コネクタの具体的な実施形態１の固定板の構造図である。
【図５】図５は、本発明の電気コネクタの具体的な実施形態１の接触部品固定板の正面図である。
【図６】図６は、本発明の電気コネクタの具体的な実施形態１の接触部品固定板の不等角投影面である。
【図７】図７は、本発明の電気コネクタの具体的な実施形態１の湾曲型接触部品の構造図である。
【発明を実施するための形態】
【００１７】
以下、図面を参照しながら本発明の実施形態をさらに説明する。
【００１８】
本発明の電気コネクタの具体的な実施形態１について、図１〜図７に示されているように、電気コネクタは、左右並列に設けられている６個の信号モジュールを含む。信号モジュールは、湾曲型接触部品３および湾曲型接触部品３を取り付けるための接触部品取付板２を含む。湾曲型接触部品３は、一端がプリント回路板に溶接されるための溶接ピン３４であり、他端が挿接端３０である。電気コネクタにおいて、先端は、挿接端であり、前方端面は、湾曲型接触部品の挿接端を設置するための接触部品挿接端取付面であり、底面は、湾曲型接触部品の溶接ピンを取り付けるための溶接ピン取付面である。
【００１９】
電気コネクタは、接触部品取付板に挟持されて接触部品取付板を固定するための固定用湾曲部品１をさらに含む。本実施形態において、固定用湾曲部品は、板形状構造である。固定用湾曲部品は、電気コネクタ上部に固定されている第１部分１２、電気コネクタ末端部に固定されている第２部分１１、および、第１、第２部分を接続する接続部分１３を含み、第１部分、第２部分が接続部分の同一側に向けて延びる。接続部分は、電気コネクタ上部に設けられている。電気コネクタ上部には、第１部分が挿入されて固定されるための上部内方凹部挿入溝が設けられている。第１部分を上部内方凹部挿入溝に挿入して固定することによって、第１部分を電気コネクタの上部に固定させることを実現する。
【００２０】
本実施形態において、第１部分、第２部分は、垂直方向に沿って互いに平行に設けられている。第１部分の長さを第２部分の長さより小さくすることによって、上部内方凹部挿入溝と電気コネクタ内部の湾曲型接触部品との干渉を避ける。第２部分１１は、第１部分１２に近接する第２部分内側面１１４を含む。第１部分１２は、第２部分に近接する第１部分内側面１２４を含む。第２部分内側面１１４は、電気コネクタの後方端面に突き立てられている。
【００２１】
第２部分１１の接続部分１３から離れた端部には、左右並列に設けられたＵ字型の第２部分係止溝１１１が設けられている。電気コネクタ末端部の後方側面には、第２部分係止溝１１１に係止する末端部係止ブロック２１が設けられている。末端部係止ブロック２１と第２部分係止溝１１１とは、一対一に対応する。末端部係止ブロック２１は、接触部品取付板の前方端面の左右方向の中間位置に設けられている。隣接する第２部分係止溝の間の溝壁は、第２部分挿入フィンガー１１２を構成する。隣接する２つの末端部係止ブロック２１の間には、第２部分挿入フィンガーが挿入されて係止される第２部分挿入フィンガー溝を有する。
【００２２】
上部内方凹部挿入溝２３の後方側は、第１部分内側面１２４に突き当てられる内方凹部挿入溝後方側面を有する。固定用湾曲部品１の第１部分１２は、上部内方凹部挿入溝２３に挿入され、第２部分１１、第１部分１２が接触部品取付板に挟持される。第１部分１１を電気コネクタ末端部端面に突き立て、第１部分１２を上部内方凹部挿入溝２３の後方側面に突き立てることによって、固定用湾曲部品１を接触部品取付板２に挟持し、接触部品取付板を固定する目的を達成する。
【００２３】
固定用湾曲部品１の第１部分１２には、左右並列に設けられたＵ字型の第１部分係止溝１２１が設けられている。隣接する２つの第１部分係止溝１２１の間の溝壁は、第１部分挿入フィンガー１２２を構成する。上部内方凹部挿入溝２３の内部には、第１部分係止溝１２１と一対一に対応しかつそれに係合される上部係止ブロック２２が設けられている。本実施形態において、上部内方凹部挿入溝２３は、各接触部品取付板の上部端面に設けられた接触部品取付板凹み溝２４から組み合わせてなる。上部係止ブロック２２は、接触部品取付板凹み溝２４内に設けられる。隣接する２つの接触部品取付板凹み溝２４の上部係止ブロック２２の間には、第１部分挿入フィンガー１２２が挿入される第１部分挿入フィンガー溝１２１を有する。第１部分挿入フィンガー１２２は、第１部分挿入フィンガー溝１２１に係止される。第２部分係止溝の開口部には、末端部係止ブロックの挿入を便利にするための開口拡大構造を有し、第１部分係止溝の開口部にも、上部係止ブロックの挿入を便利にするための開口拡大構造を有する。第２部分係止溝の左右側壁には、前後方向に沿って延びるとともに末端部係止ブロックに係合するための第１突起１１３がそれぞれ設けられている。第１部分係止溝の左右側壁には、前後方向に沿って延びるとともに上部係止ブロックに係合するための第２突起１２３がそれぞれ設けられている。
【００２４】
湾曲型接触部品は、先端が挿接端であり、挿接部３１と、凹部３２と、挿接部より後部の水平の取付部３３と、を含み、挿接部３１、凹部３２、取付部３３が前方から順に設けられている。挿接部３１の先端には、上へ折り曲げられて形成されたフランジを有する。フランジの折り曲げ箇所の下側面は、整合する接触部品に接触するための前方接触部を形成する。本実施形態において、凹部３２は、Ｕ字型であり、挿接部３１の後方端部に対し下方へ凹み、その下側面が接触部品の後方接触部を形成する。取付部３３は、凹部３２の後方に位置し、平らである。挿接部３１は、凹部３２との接続箇所から後方から前方へ徐々に下方へ傾斜する。本実施形態において、前方、後方接触部は、同一の水平面に位置する。使用時に、前方接触部が整合接触部品の根元に弾性的に接触し、後方接触部が整合接触部品の端部に弾性的に接触することによって、整合接触部品のカンチレバー構造を除去または短縮し、コネクタの挿入損失を低下させる。
【００２５】
本発明の電気コネクタの固定用湾曲部品の第２部分が電気コネクタの後方端面に突き立てられ、第１部分が内方凹部挿入溝の後方側面に突き立てられることによって、固定用湾曲部品が第２部分と第１部分とによって電気コネクタに挟持され、電気コネクタの接触部品取付板が前後方向に相対的にずれないことを保証するとともに、第２部分に設けられた第２部分係止溝に電気コネクタの後方端面上の末端部係止ブロックが左右方向に係止されることによって、接触部品取付板と固定用湾曲部品とは左右に相対的に移動しないことを保証することができる。現在の電気コネクタにおいて単一面の固定用湾曲部品によって接触部品取付板を固定することに比較し、本発明の固定用湾曲部品は、電気コネクタの接触部品取付板との接触面積を大きくして固定用湾曲部品による接触部品取付板の固定堅牢度合いを高めるのみならず、固定用湾曲部品の第１、第２部分を電気コネクタ上部、電気コネクタ末端部に固定することによって、第１部分を上部内方凹部挿入溝に固定し、固定の堅牢度合いを保証し、電気コネクタの２つの面による固定が実現される。固定用湾曲部品の第１、第２部分および接続部分が協同しあうことによって、隣接する接触部品取付板が変形しにくいことを保証する。また、現在の電気コネクタの固定用シートは、末端部係止ブロックを逃がすための一定の逃がし経路を垂直方向に設ける必要があり、水平に挿入されてから垂直方向に一定の距離を移動してから固定される必要がある。本発明の固定用湾曲部品は、使用時に直接電気コネクタの上部から挿入することができ、体積の最小化を実現しており、垂直方向の逃がし経路を必要としない。
【００２６】
本発明の電気コネクタの具体的な実施形態２において、接続部分が電気コネクタ末端部に設けられ、上部内方凹部挿入溝が省略され、第１部分が電気コネクタ上部端面に設けられた上部係止ブロックに係止され、電気コネクタの末端部に末端部内方凹部挿入溝が設けられ、末端部係止ブロックが内方凹部挿入溝内に設けられるという点でのみ、上記実施形態１とは異なる。
【００２７】
本発明の電気コネクタの具体的な実施形態３において、上部内方凹部挿入溝内に上部係止ブロックを設けず、第１部分を上部内方凹部挿入溝に突き立てることによって第１部分を電気コネクタ上部に固定し、第１部分が上部内方凹部挿入溝の前方側面または後方側面に突き立てられてもよいという点でのみ、上記実施形態１とは異なる。
【００２８】
本発明の固定用湾曲部品の具体的な実施形態について、当該固定用湾曲部品は、上記電気コネクタの具体的な実施形態１または２または３に記載されている固定用湾曲部品の構造とは同一であり、繰り返して記載しない。
【００２９】
本発明の電気コネクタおよびその固定用湾曲部品のほかの実施形態について、上記第１、第２部分係止溝に設けられた突起を省略してもよく、別途突起における挿入溝との係合面に突起構造に設けてもよく、または開口拡大方式を用いて第１、第２部分係止溝と対応する係止ブロックとの締まりばめを実現してもよい。上記上部係止ブロックは、２つの第１部分挿入フィンガーに対応してもよい。この場合２つの第１部分挿入フィンガーの間に対応する第１部分係止溝は、左右方向に並列に設けられなくてもよく、前後方向に一定の隙間をあけられてもよい。
【００３０】
（付記）
（付記１）
先端が挿接端である接触部品と、少なくとも２つの左右並列に設けられて前後方向に沿って延びる接触部品取付板と、を含む電気コネクタにおいて、
接触部品取付板を固定するための固定用湾曲部品をさらに含み、
固定用湾曲部品は、電気コネクタ上部に固定されている第１部分、電気コネクタ末端部に固定されている第２部分、および、第１、第２部分を接続する接続部分を含み、
第１部分、第２部分は、接続部分の同一側に向けて延び、
接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる、
ことを特徴とする電気コネクタ。
【００３１】
（付記２）
接続部分は、電気コネクタ上部に設けられ、
前記電気コネクタ上部には、第１部分が挿入されて電気コネクタ上部に固定されるための上部内方凹部挿入溝が設けられている、
ことを特徴とする付記１に記載の電気コネクタ。
【００３２】
（付記３）
前記第１部分は、上部内方凹部挿入溝の前方側面または後方側面に突き立てられている、
ことを特徴とする付記２に記載の電気コネクタ。
【００３３】
（付記４）
前記第１部分が上部内方凹部挿入溝の後方側面に突き立てられ、かつ第２部分が電気コネクタ末端部の端面に突き立てられることによって、固定用湾曲部品は、接触部品取付板に挟設される、
ことを特徴とする付記３に記載の電気コネクタ。
【００３４】
（付記５）
前記各接触部品取付板には、上部内方凹部挿入溝内に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成され、
各接触部品取付板には、電気コネクタ末端部に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成される、
ことを特徴とする付記２〜４のいずれか１つに記載の電気コネクタ。
【００３５】
（付記６）
前記隣接する上部係止ブロックの間は、第１部分挿入フィンガーを係合させる上部係止溝が形成され、および／または、隣接する末端部係止ブロックの間は、第２部分挿入フィンガーを係合させる末端部係止溝が形成される、
ことを特徴とする付記５に記載の電気コネクタ。
【００３６】
（付記７）
前記第１、第２挿入フィンガーには、係止ブロックを係合させるための突起が設けられている、
ことを特徴とする付記６に記載の電気コネクタ。
【００３７】
（付記８）
接続部分は、電気コネクタ末端部に設けられ、
前記電気コネクタ末端部には、第２部分が挿入されて電気コネクタ末端部に固定されるための末端部内方凹部挿入溝が設けられている、
ことを特徴とする付記１に記載の電気コネクタ。
【００３８】
（付記９）
前記第２部分は、末端部内方凹部挿入溝の上側面または下側面に突き立てられている、
ことを特徴とする付記８に記載の電気コネクタ。
【００３９】
（付記１０）
前記第２部分が末端部内方凹部挿入溝の上側面に突き立てられ、かつ第１部分が電気コネクタ上部の端面に突き立てられることによって、固定用湾曲部品は、接触部品取付板に挟設される、
ことを特徴とする付記９に記載の電気コネクタ。
【００４０】
（付記１１）
前記各接触部品取付板には、末端部内方凹部挿入溝内に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成され、
各接触部品取付板には、電気コネクタ上部に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成される、
ことを特徴とする付記８〜１０のいずれか１つに記載の電気コネクタ。
【００４１】
（付記１２）
前記接触部品は、挿接部と、挿接部より後部の水平の取付部と、を含み、
挿接部の先端は、上へ折り曲げられて形成されたフランジにあり、
フランジの折り曲げ箇所の下側面は、整合する接触部品に接触するための前方接触部を形成し、
挿接部と取付部との間には、挿接部の後方端部に対し下方へ凹む１つの凹部を有し、
凹部は、接触部品の後方接触部を形成し、
前記接触部は、残りの凹部の接続箇所から後方から前方へ徐々に下方へ傾斜する、
ことを特徴とする付記１〜４のいずれか１つに記載の電気コネクタ。
【００４２】
（付記１３）
電気コネクタ上部に固定されるための第１部分、電気コネクタ末端部に固定されるための第２部分、および、第１、第２部分を接続する接続部分を含み、第１部分、第２部分は、接続部分の同一側に向けて延びる、
ことを特徴とする固定用湾曲部品。
【００４３】
（付記１４）
前記第１部分には、上部係止ブロックに対応するための第１部分挿入フィンガーが設けられ、
隣接する第１部分挿入フィンガーの間は、上部係止ブロックを係止させるための第１部分係止溝が形成され、
前記第２部分には、末端部係止ブロックに対応するための第２部分挿入フィンガーが設けられ、
隣接する第２部分挿入フィンガーの間は、末端部係止ブロックを係止させるための第２部分係止溝が形成され、
または、
前記第１部分には、末端部係止ブロックに対応するための第１部分挿入フィンガーが設けられ、
隣接する第１部分挿入フィンガーの間は、末端部係止ブロックを係止させるための第１部分係止溝が形成され、
前記第２部分には、上部係止ブロックに対応するための第２部分挿入フィンガーが設けられ、
隣接する第２部分挿入フィンガーの間は、上部係止ブロックを係止させるための第２部分係止溝が形成される、
ことを特徴とする付記１３に記載の固定用湾曲部品。
【図１】
2019505079.tif 000003
【図２】
2019505079.tif 000004
【図３】
2019505079.tif 000005
【図４】
2019505079.tif 000006
【図５】
2019505079.tif 000007
【図６】
2019505079.tif 000008
【図７】
2019505079.tif 000009
【手続補正書】
【提出日】平成30年8月9日(2018.8.9)
【手続補正１】
【補正対象書類名】明細書
【補正対象項目名】００１２
【補正方法】変更
【補正の内容】
【００１２】
前記接触部品は、挿接部と、挿接部より後部の水平の取付部と、を含む。挿接部の先端には、上へ折り曲げられて形成されたフランジがある。フランジの折り曲げ箇所の下側面は、整合する接触部品に接触するための前方接触部を形成する。挿接部と取付部との間には、挿接部の後方端部に対し下方へ凹む１つの凹部を有する。凹部は、接触部品の後方接触部を形成する。前記挿接部は、凹部との接続箇所から後方から前方へ徐々に下方へ傾斜する。
【手続補正２】
【補正対象書類名】特許請求の範囲
【補正対象項目名】全文
【補正方法】変更
【補正の内容】
【特許請求の範囲】
【請求項１】
先端が挿接端である接触部品と、少なくとも２つの左右並列に設けられて前後方向に沿って延びる接触部品取付板と、を含む電気コネクタにおいて、
接触部品取付板を固定するための固定用湾曲部品をさらに含み、
固定用湾曲部品は、電気コネクタ上部に固定されている第１部分、電気コネクタ末端部に固定されている第２部分、および、第１、第２部分を接続する接続部分を含み、
第１部分、第２部分は、接続部分の同一側に向けて延び、
接続部分は、第１部分が挿入されて電気コネクタ上部に固定されるための上部内方凹部挿入溝が設けられている電気コネクタ上部に設けられ、または、第２部分が挿入されて電気コネクタ末端部に固定されるための末端部内方凹部挿入溝が設けられている電気コネクタ末端部に設けられる、
ことを特徴とする電気コネクタ。
【請求項２】
接続部分は、電気コネクタ上部に設けられ、
前記電気コネクタ上部には、第１部分が挿入されて電気コネクタ上部に固定されるための上部内方凹部挿入溝が設けられている、
ことを特徴とする請求項１に記載の電気コネクタ。
【請求項３】
前記第１部分は、上部内方凹部挿入溝の前方側面または後方側面に突き立てられている、
ことを特徴とする請求項２に記載の電気コネクタ。
【請求項４】
前記第１部分が上部内方凹部挿入溝の後方側面に突き立てられ、かつ第２部分が電気コネクタ末端部の端面に突き立てられることによって、固定用湾曲部品は、接触部品取付板に挟設される、
ことを特徴とする請求項３に記載の電気コネクタ。
【請求項５】
前記各接触部品取付板には、上部内方凹部挿入溝内に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成され、
各接触部品取付板には、電気コネクタ末端部に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成される、
ことを特徴とする請求項２〜４のいずれか１項に記載の電気コネクタ。
【請求項６】
前記隣接する上部係止ブロックの間は、第１部分挿入フィンガーを係合させる上部係止溝が形成され、および／または、隣接する末端部係止ブロックの間は、第２部分挿入フィンガーを係合させる末端部係止溝が形成される、
ことを特徴とする請求項５に記載の電気コネクタ。
【請求項７】
前記第１、第２挿入フィンガーには、係止ブロックを係合させるための突起が設けられている、
ことを特徴とする請求項６に記載の電気コネクタ。
【請求項８】
接続部分は、電気コネクタ末端部に設けられ、
前記電気コネクタ末端部には、第２部分が挿入されて電気コネクタ末端部に固定されるための末端部内方凹部挿入溝が設けられている、
ことを特徴とする請求項１に記載の電気コネクタ。
【請求項９】
前記第２部分は、末端部内方凹部挿入溝の上側面または下側面に突き立てられている、
ことを特徴とする請求項８に記載の電気コネクタ。
【請求項１０】
前記第２部分が末端部内方凹部挿入溝の上側面に突き立てられ、かつ第１部分が電気コネクタ上部の端面に突き立てられることによって、固定用湾曲部品は、接触部品取付板に挟設される、
ことを特徴とする請求項９に記載の電気コネクタ。
【請求項１１】
前記各接触部品取付板には、末端部内方凹部挿入溝内に位置する末端部係止ブロックが設けられ、
前記第２部分には、末端部係止ブロックに対応する第２部分挿入フィンガーが設けられ、
隣接する第２部分挿入フィンガーの間は、末端部係止ブロックを係止させる第２部分係止溝が形成され、
各接触部品取付板には、電気コネクタ上部に位置する上部係止ブロックが設けられ、
前記第１部分には、上部係止ブロックに対応する第１部分挿入フィンガーが設けられ、
隣接する第１部分挿入フィンガーの間は、上部係止ブロックを係止させる第１部分係止溝が形成される、
ことを特徴とする請求項８〜１０のいずれか１項に記載の電気コネクタ。
【請求項１２】
前記接触部品は、挿接部と、挿接部より後部の水平の取付部と、を含み、
挿接部の先端には、上へ折り曲げられて形成されたフランジがあり、
フランジの折り曲げ箇所の下側面は、整合する接触部品に接触するための前方接触部を形成し、
挿接部と取付部との間には、挿接部の後方端部に対し下方へ凹む１つの凹部を有し、
凹部は、接触部品の後方接触部を形成し、
前記挿接部は、前記凹部との接続箇所から後方から前方へ徐々に下方へ傾斜する、
ことを特徴とする請求項１〜４のいずれか１項に記載の電気コネクタ。
【請求項１３】
電気コネクタ上部に固定されるための第１部分、電気コネクタ末端部に固定されるための第２部分、および、第１、第２部分を接続する接続部分を含み、第１部分、第２部分は、接続部分の同一側に向けて延びる、
ことを特徴とする固定用湾曲部品。
【請求項１４】
前記第１部分には、上部係止ブロックに対応するための第１部分挿入フィンガーが設けられ、
隣接する第１部分挿入フィンガーの間は、上部係止ブロックを係止させるための第１部分係止溝が形成され、
前記第２部分には、末端部係止ブロックに対応するための第２部分挿入フィンガーが設けられ、
隣接する第２部分挿入フィンガーの間は、末端部係止ブロックを係止させるための第２部分係止溝が形成され、
または、
前記第１部分には、末端部係止ブロックに対応するための第１部分挿入フィンガーが設けられ、
隣接する第１部分挿入フィンガーの間は、末端部係止ブロックを係止させるための第１部分係止溝が形成され、
前記第２部分には、上部係止ブロックに対応するための第２部分挿入フィンガーが設けられ、
隣接する第２部分挿入フィンガーの間は、上部係止ブロックを係止させるための第２部分係止溝が形成される、
ことを特徴とする請求項１３に記載の固定用湾曲部品。
【国際調査報告】
2019505079.tif 000010
2019505079.tif 000011
2019505079.tif 000012
2019505079.tif 000013